(57)【要約】【課題】電源装置に搭載された蓄電池の内部インピーダンスを正確に測定する。【解決手段】蓄電池１３の内部インピーダンスを測定する装置。交流電力を直流電力に変換する機能、および直流電力を交流電力に変換する機能をそれぞれ有し、直流側が蓄電池１３に接続された双方向電力変換部１１と、蓄電池１３に接続されており、蓄電池１３の充電時において蓄電池１３に交流電流を供給して蓄電池１３の内部インピーダンスを測定する蓄電池内部インピーダンス測定回路１７と、双方向電力変換部１１および蓄電池１３間に介在し、蓄電池１３から双方向電力変換部１１に対して交流電流成分の流入を阻止する交流電流成分阻止回路１５と、を備えている。【選択図】      図１
2004325337.tif 000002
【特許請求の範囲】
【請求項１】
蓄電池の内部インピーダンスを測定する装置であって、
交流電力を直流電力に変換する機能、および直流電力を交流電力に変換する機能をそれぞれ有し、直流側が前記蓄電池に接続された電力変換部と、
前記蓄電池に接続されており、前記蓄電池の充電時において前記蓄電池に交流電流を供給して前記蓄電池の内部インピーダンスを測定する蓄電池内部インピーダンス測定回路と、
前記電力変換部および前記蓄電池間に介在し、前記蓄電池から前記電力変換部に対して交流電流成分の流入を阻止する交流電流成分阻止回路とを備えたことを特徴とする蓄電池の内部インピーダンス測定装置。
【請求項２】
前記交流電流成分阻止回路は、
前記蓄電池から前記電力変換部に直流電力を供給する向きに接続された第１の整流素子と、
この第１の整流素子に対して並列に接続され、前記電力変換部から前記蓄電池に直流電力を供給する向きに接続された第２の整流素子と、
この第２の整流素子に直列に接続されたリアクトルとを備えたことを特徴とする請求項１記載の蓄電池の内部インピーダンス測定装置。
【請求項３】
前記リアクトルのインピーダンスは、
前記蓄電池の初期内部インピーダンスよりも高いことを特徴とする請求項２記載の蓄電池の内部インピーダンス測定装置。
【請求項４】
前記蓄電池内部インピーダンス測定回路は、
前記蓄電池に並列に接続された直流成分除去用コンデンサと、
この直流成分除去用コンデンサに直列に接続された交流成分検出用検出器と、
この交流成分検出用検出器に直列に接続され、前記蓄電池に交流電流を供給る交流電流供給回路と、
前記交流成分検出用検出器により検出された交流成分が一定となるように前記交流電流を制御する定電流制御手段と、
前記蓄電池の両端の電圧を検出して平均化し、平均化された検出電圧および前記蓄電池に供給された前記交流電流に基づいて前記蓄電池の内部インピーダンスを計算する内部インピーダンス計算手段とを備えたことを特徴とする請求項１乃至３の内の何れか１項記載の蓄電池の内部インピーダンス測定装置。
【発明の詳細な説明】
【０００１】
【発明の属する技術分野】
本発明は、電源装置に搭載された蓄電池の内部インピーダンス測定装置に関する。
【０００２】
【従来の技術】
電源装置には、充電により電力を蓄積できる蓄電池が搭載されている。
【０００３】
従来、この電源装置に搭載された蓄電池の寿命を判定する装置の一つに、蓄電池の内部インピーダンスを測定し、その測定結果から蓄電池の寿命を判定する装置がある（例えば、特許文献１参照）。
【０００４】
この特許文献１に開示された蓄電池の内部インピーダンス測定装置によれば、直流／交流電力変換部としての平滑用コンデンサおよびインバータに対して並列に接続された蓄電池に対して交流電流を供給する。
【０００５】
そして、蓄電池の両端子間の電圧を測定し、供給された交流電流と測定された電圧とを用いて、蓄電池の内部インピーダンスを測定している。
【０００６】
【特許文献１】
特開平１０−２０００２号公報
【０００７】
【発明が解決しようとする課題】
しかしながら、従来の電源装置における蓄電池の内部インピーダンス測定装置では、平滑用コンデンサおよびインバータ等の電力変換部が並列に接続された蓄電池に対して交流電流が供給されるため、蓄電池に供給された交流電流は、平滑用コンデンサおよびインバータにそれぞれ供給されることになる。
【０００８】
この結果、蓄電池の両端子間の電圧は、平滑用コンデンサおよびインバータそれぞれのインピーダンスに基づく電圧降下分の影響を受けた値となり、蓄電池自体の電圧に基づく内部インピーダンスを正確に測定することが困難であった。
【０００９】
この結果、内部インピーダンスを用いて蓄電池の寿命を正確に判定することが困難であった。
【００１０】
本発明は、上述した事情に鑑みてなされたもので、その目的としては、電源装置に搭載された蓄電池の内部インピーダンスを正確に測定することができる蓄電池の内部インピーダンス測定装置を提供することにある。
【００１１】
【課題を解決するための手段】
請求項１記載の発明は、上記課題を解決するため、蓄電池の内部インピーダンスを測定する装置であって、交流電力を直流電力に変換する機能、および直流電力を交流電力に変換する機能をそれぞれ有し、直流側が前記蓄電池に接続された電力変換部と、前記蓄電池に接続されており、前記蓄電池の充電時において前記蓄電池に交流電流を供給して前記蓄電池の内部インピーダンスを測定する蓄電池内部インピーダンス測定回路と、前記電力変換部および前記蓄電池間に介在し、前記蓄電池から前記電力変換部に対して交流電流成分の流入を阻止する交流電流成分阻止回路とを備えたことを要旨とする。
【００１２】
請求項２記載の発明は、上記課題を解決するため、前記交流電流成分阻止回路は、前記蓄電池から前記電力変換部に直流電力を供給する向きに接続された第１の整流素子と、この第１の整流素子に対して並列に接続され、前記電力変換部から前記蓄電池に直流電力を供給する向きに接続された第２の整流素子と、この第２の整流素子に直列に接続されたリアクトルとを備えたことを要旨とする。
【００１３】
請求項３記載の発明は、上記課題を解決するため、前記リアクトルのインピーダンスは、前記蓄電池の初期内部インピーダンスよりも高いことを要旨とする。
【００１４】
請求項４記載の発明は、上記課題を解決するため、前記蓄電池内部インピーダンス測定回路は、前記蓄電池に並列に接続された直流成分除去用コンデンサと、この直流成分除去用コンデンサに直列に接続された交流成分検出用検出器と、この交流成分検出用検出器に直列に接続され、前記蓄電池に交流電流を供給する交流電流供給回路と、前記交流成分検出用検出器により検出された交流成分が一定となるように前記交流電流を制御する定電流制御手段と、前記蓄電池の両端の電圧を検出して平均化し、平均化された検出電圧および前記蓄電池に供給された前記交流電流に基づいて前記蓄電池の内部インピーダンスを計算する内部インピーダンス計算手段とを備えたことを要旨とする。
【００１５】
【発明の実施の形態】
以下、本発明の実施の形態を図面を参照して説明する。
【００１６】
図１は、本発明の実施の形態に係る電源装置およびその電源装置に搭載された蓄電池の内部インピーダンス測定装置の概略構成を示すブロック図である。
【００１７】
図１に示すように、電源装置１は、交流電源３と、この交流電源３に直列に接続された交流負荷５と、交流電源３および交流負荷５の間に介在され、交流電源３から供給された交流電力を交流負荷５に対して供給／遮断の切換を行なう交流スイッチ７とを備えている。
【００１８】
また、電源装置１は、交流電源３の交流電源電圧を検出し、この検出値に応じて交流スイッチ７のＯＮ／ＯＦＦを切り換え制御する交流電源電圧検出部９を備えており、交流電源電圧検出部９の制御出力端子は、制御線Ｃ１を介して交流スイッチ７に接続されている。
【００１９】
さらに、電源装置１は、交流負荷５に並列に接続され、交流電力を直流電力に変換する機能、および直流電力を交流電力に変換する機能をそれぞれ有する双方向電力変換部１１を備えており、この双方向電力変換部１１には、交流電源電圧検出部９の制御出力端子が制御線Ｃ２を介して接続されている。
【００２０】
そして、電源装置１は、双方向電力変換部１１の直流側に接続された蓄電池１３と、双方向電力変換部１１および蓄電池１３間に介在され、双方向電力変換部１１に対して交流電流成分の流入を阻止する交流電流成分阻止回路１５と、蓄電池１３の充電時における蓄電池１３の内部インピーダンスを測定する蓄電池内部インピーダンス測定回路１７とを備えている。
【００２１】
図２は、図１に示す電源装置１の具体的な回路構成の一例を示す図である。
【００２２】
図２に示すように、交流電源電圧検出部９は、交流電源３の電力線ＬＳに接続され、この電力線ＬＳの交流電源電圧を検出し、交流電源３の定格電圧値と検出した交流電源電圧値とを比較する機能を有している。
【００２３】
交流スイッチ７は、電力線ＬＳの途中に接続されており、制御線Ｃ１を介して送信される制御信号に応じて電力線ＬＳを接続または遮断する機能を有しており、交流スイッチ７がＯＮされると交流電源３と交流負荷５とが電力線ＬＳを介して接続される。
【００２４】
双方向電力変換部１１は、交流スイッチ７および交流負荷５の途中の電力線ＬＳから分岐する電力線ＢＳに対して交流電源３と並列に接続されたコンバータ／インバータ変換器２１と、このコンバータ／インバータ変換器２１の直流側に並列に接続された平滑用コンデンサ２３とを備えており、このコンバータ／インバータ変換器２１および平滑用コンデンサ２３の直流側に並列に蓄電池１３が接続されている。なお、本実施の形態においては、図２に示すように、蓄電池１３は、複数個の単電池１３ａが直列に接続されて構成されている。
【００２５】
コンバータ／インバータ変換器２１は、図示しない例えばトランジスタ等の複数のスイッチング素子およびダイオード等の複数の整流素子を有し、その各スイッチング素子の制御端子に対してコンバータ動作制御またはインバータ動作制御を行なうための制御信号を送出する制御部を備えている。交流電源電圧検出部９からの制御線Ｃ２がこの制御部に接続されている。
【００２６】
交流電流成分阻止回路１５は、平滑用コンデンサ２３および蓄電池１３間に介在している。
【００２７】
すなわち、図２に示すように、交流電流成分阻止回路１５は、平滑用コンデンサ２３および蓄電池１３間を接続する直流母線ＤＬおよびＥＬに接続され、蓄電池１３から平滑用コンデンサ２３に直流電力を供給する向きに接続された第１の整流素子としての第１のダイオード３１と、第１のダイオード３１に並列に接続され、平滑用コンデンサ２３から蓄電池１３に直流電力を供給する向きに接続された第２の整流素子としての第２のダイオード３３と、この第２のダイオード３３に直列に接続されたリアクトル３５とを備えている。
【００２８】
リアクトル３５は、蓄電池１３の初期内部インピーダンスよりも十分に大きいインピーダンスを有しており、直流電流を通し、交流電流の導通を妨げる性質を有している。
【００２９】
蓄電池内部インピーダンス測定回路１７は、図２に示すように、蓄電池１３に並列に接続された直流成分除去用コンデンサ４１と、この直流成分除去用コンデンサ４１に直列に接続された電流検出用抵抗４３と、この電流検出用抵抗４３に直列に接続された高周波パルス発生回路４５とを備えている。
【００３０】
高周波パルス発生回路４５は、外部制御端子を有しており、この外部制御端子は後述するマイコンに対して接続されている。
【００３１】
また、蓄電池内部インピーダンス測定回路１７は、蓄電池１３の充電時における端子間電圧を検出し、検出した端子間電圧値を例えば積分して平均化する電圧検出・平均値回路５１と、電流検出用抵抗４３に流れる高周波パルス電流により発生する抵抗４３の両端間の電位差（電圧）を検出し、検出した電圧値を平均化する電流平均値回路５３とを備えている。
【００３２】
さらに、蓄電池内部インピーダンス測定回路１７は、高周波パルス発生回路４５、電圧検出・平均値回路５１および電流平均値回路５３に接続された定電流制御機能および内部インピーダンス計算機能を有するマイクロコンピュータ（以下、マイコンと略記する）５５を備えている。
【００３３】
このマイコン５５は、ＣＰＵ６１と、高周波パルス発生回路４５、電圧検出・平均値回路５１および電流平均値回路５３に接続され、Ａ／Ｄ変換機能を含むＣＰＵ６１に対する信号入出力のインタフェース機能を有するインタフェース回路６３と、ＣＰＵ６１がアクセス自在であり、ＣＰＵ６１に定電流制御機能に基づく動作処理および内部インピーダンス計算機能に基づく動作処理をそれぞれ実行させるための制御プログラムを内蔵するＲＯＭ６５と、ＣＰＵ６１がアクセス自在であり、ＣＰＵ６１の動作処理時におけるワークエリア（作業エリア）およびデータ一時蓄積エリアとして機能するＲＡＭ６７とを備えている。
【００３４】
次に、本実施の形態に係わる電源装置１における交流電源電圧正常時および異常時の動作について説明する。
【００３５】
交流電源３の交流電源電圧は、交流電源電圧検出部９により検出されており、この交流電源電圧検出部９においては、検出された交流電源電圧値と交流電源３の定格電圧値とが比較されている。
【００３６】
（正常時）
今、交流電源電圧が正常なとき、すなわち、交流電源３から定格電圧が入力されているときには、交流電源電圧検出部９の上記比較の結果は「一致」となり、交流電源電圧検出部９から制御線Ｃ１を介して交流スイッチ７に対して、そのスイッチ７をＯＮにするための制御信号（正常信号）が送信されている。
【００３７】
この結果、正常信号に応じて交流スイッチ７がＯＮして電力線ＬＳは交流負荷５に接続され、交流電源３から供給された交流電力は、電力線ＬＳを経由して交流負荷５に供給される。
【００３８】
一方、制御線Ｃ１を介した制御信号送信に加えて、交流電源電圧検出部９からコンバータ／インバータ変換器２１の制御部に対して、コンバータ／インバータ変換器２１が交流電力から直流電力への変換動作（コンバータ動作）を行わせるための制御信号（交流→直流開始信号）を制御線Ｃ２を介して送信される。
【００３９】
このとき、コンバータ／インバータ変換器２１では、制御部からの制御信号に基づき、複数のスイッチング素子がＯＮ／ＯＦＦ動作を行ない、交流電源３から電力線ＢＳを介して印加されている交流電源電圧を直流電圧に変換する。変換された直流電圧は、平滑用コンデンサ２３により平滑化された後、交流電流成分阻止回路１５に入力される。
【００４０】
交流電流成分阻止回路１５では、第１のダイオード３１がＯＦＦとなり、第２のダイオード３３がＯＮとなるため、この直流電圧は、第２のダイオード３３、リアクトル３５および電力線ＥＬを介して蓄電池１３に印加される。
【００４１】
この結果、蓄電池１３は、印加された直流電圧により充電される。
【００４２】
（異常時）
一方、例えば停電等の原因により交流電源電圧が異常なとき、すなわち、交流電源３から、例えば定格電圧より低い異常電圧が入力されているときには、交流電源電圧検出部９の上記比較の結果は「不一致」となり、交流電源電圧検出部９から制御線Ｃ１を介して交流スイッチ７に対して、そのスイッチ７をＯＦＦにするための制御信号（異常信号）が送信される。
【００４３】
この異常信号に応じて交流スイッチ７がＯＦＦして電力線ＬＳが交流負荷５から遮断される。
【００４４】
そして、交流電源電圧検出部９では、その「不一致」判断時において、コンバータ／インバータ変換器２１の制御部に対して、コンバータ／インバータ変換器２１が直流電力から交流電力への変換動作（インバータ動作）を行わせるための制御信号（直流→交流開始信号）を制御線Ｃ２を介して送信される。
【００４５】
このとき、蓄電池１３は直流電源となり、この直流電源電圧は、電力線ＥＬを介して交流電流成分阻止回路１５に入力され、交流電流成分阻止回路１５では、第２のダイオード３３がＯＦＦとなり、第１のダイオード３１がＯＮとなるため、この直流電源電圧は、第１のダイオード３１を介して、平滑用コンデンサ２３を充電するとともに、コンバータ／インバータ変換器２１に入力される。
【００４６】
コンバータ／インバータ変換器２１では、制御線Ｃ２を介して制御部に制御信号（直流→交流開始信号）が入力されているため、制御部からの制御信号に基づき、複数のスイッチング素子がＯＮ／ＯＦＦ動作を行ない、入力された直流電源電圧を交流電圧に変換する。変換された交流電圧は、電力線ＢＳに流入し、この電力線ＢＳおよび電力線ＬＳを介して交流負荷５に供給される。
【００４７】
そして、交流電源電圧が正常状態に復帰したとき、すなわち、交流電源３から供給された交流電源電圧が定格電圧に復帰したときは、交流電源電圧検出部９の上記比較の結果が「一致」となり、交流電源電圧検出部９から制御線Ｃ１を介して交流スイッチ７に対して正常信号が送信され、さらに、制御線Ｃ２を介してコンバータ／インバータ変換器２１の制御部に対して制御信号（交流→直流開始信号）が送信される。
【００４８】
この結果、交流スイッチ７が再度ＯＮし、コンバータ／インバータ変換器２１により、再度、交流電源３からの交流電源電圧が直流電圧に変換されるため、再度、交流電源３による交流負荷５への交流電力供給および蓄電池１３への充電が開始される。
【００４９】
このように、本実施形態の電源装置１によれば、交流電源電圧が正常時に加えて、交流電源電圧が異常時においても、交流負荷５に安定して交流電力を供給することができる。
【００５０】
（内部インピーダンス測定動作）
次に、本実施形態の上述した蓄電池１３への充電時における蓄電池１３の内部インピーダンス測定動作について説明する。
【００５１】
蓄電池１３に対する充電時、すなわち、コンバータ／インバータ変換器２１から交流電流成分阻止回路１５を介して直流電圧が蓄電池１３に印加されて蓄電池１３が充電されている状態において、マイコン５５のＣＰＵ６１は、ＲＯＭ６５に記憶された制御プログラムに従って動作し、インタフェース回路６３を介して高周波パルス発生回路４５の制御端子に対し、例えば１ｋＨｚの高周波パルス電流の出力指令を送信する（図３；ステップＳ１０）。
【００５２】
高周波パルス発生回路４５は、その制御端子を介して送信されてきた出力指令に応じて、１ｋＨｚの高周波パルス電流（交流電流）を発生し、発生した高周波パルス電流を蓄電池１３の正極側から負極側（図中矢印Ｉ１で示す）に向かって出力する。
【００５３】
出力された高周波パルス電流Ｉ１は、電流検出用抵抗４３および直流成分除去用コンデンサ４１を介して、交流電流成分阻止回路１５と蓄電池１３と電圧検出・平均値回路５１および直流成分除去用コンデンサ４１の一端を共通接続する接続端子ＣＴまで流れる。
【００５４】
このとき、本実施の形態では、リアクトル３５のインピーダンスが蓄電池１３の初期内部インピーダンスよりも十分高く設定されているため、リアクトル３５のインピーダンスに基づく交流電流阻止機能により、高周波パルス電流Ｉ１は、インピーダンスの低い蓄電池１３に流れる。
【００５５】
この結果、蓄電池１３には、コンバータ／インバータ変換器２１から交流電流成分阻止回路１５を介して供給されている直流電流に重畳して、高周波パルス電流Ｉ１が供給されている。
【００５６】
一方、電流検出用抵抗４３の両端には、抵抗４３を流れる高周波パルス電流Ｉ１により電位差（電圧）が発生している。この抵抗４３に発生した電圧は、電流平均値回路５３により平均値化され、インタフェース回路６３を介して電圧データとしてＣＰＵ６１に供給される。
【００５７】
ＣＰＵ６１は、供給された電圧データを受信し、受信した電圧データの値およびパルス幅が一定になるように、インタフェース回路６３を介して高周波パルス発生回路４５にフィードバック制御指令を送信する（ステップＳ２０）。
【００５８】
高周波パルス発生回路４５では、送信されてきたフィードバック制御指令に応じて、出力される高周波パルス電流Ｉ１の振幅およびパルス幅が一定になるように制御される。
【００５９】
このようにして、蓄電池１３には、上述した定電流制御により、一定の高周波パルス電流Ｉ１が流れている。
【００６０】
このとき、電圧検出・平均値回路５１では、蓄電池１３の両端子間に発生する高周波電圧Ｖ、すなわち、上記充電制御により蓄電池１３に印加される直流電圧に基づく電圧Ｖ０を基準として変化する高周波電圧Ｖが時系列的に検出され、平均値化される。
【００６１】
平均値化された蓄電池１３の高周波電圧ＶＡＶは、インタフェース回路６３を介して蓄電池電圧データＶＤＡＶとしてＣＰＵ６１に供給される。
【００６２】
ＣＰＵ６１は、定電流制御された高周波パルス電流Ｉ１の電流値Ｉに対応する電流データＩＤと、供給された蓄電池電圧データＶＤＡＤとを用いて、例えば次式（１）により、蓄電池１３の内部インピーダンスＺを計算する（ステップＳ３０）。
【００６３】
【数１】
Ｚ＝（蓄電池電圧データＶＤＡＶ）／電流データＩＤ    ・・・（１）
この結果、蓄電池１３の内部インピーダンスＺを測定することができる。
【００６４】
このとき、本実施形態では、内部インピーダンス測定用の高周波パルス電流Ｉ１は、交流電流成分阻止回路１５の交流成分阻止機能により、双方向電力変換部１１の平滑用コンデンサ２３およびコンバータ／インバータ変換器２１に供給されないため、平滑用コンデンサ２３およびコンバータ／インバータ変換器２１に関係なく、蓄電池１３自体の両端子間の高周波電圧Ｖを電圧検出・平均値回路５１により正確に求めることができる。
【００６５】
この結果、蓄電池１３の内部インピーダンスＺを、平滑用コンデンサ２３およびコンバータ／インバータ変換器２１のインピーダンスの影響を受けることなく正確に測定することができる。
【００６６】
なお、本実施の形態においては、交流電流成分阻止回路１５を図２に示す構成としたが、本発明はこの構成に限定されるものではない。
【００６７】
例えば、蓄電池１３の初期内部インピーダンスよりも十分に大きいインピーダンスを有し、直流電流を通し、交流電流の導通を妨げる性質を有する素子であれば、リアクトルの代わりに用いることも可能である。また、第１の整流素子および第２の整流素子についても、ダイオード３１および３３に限定されるものではなく、方向性を有するスイッチ機能を有する素子であれば、他の素子も適用可能である。
【００６８】
また、本実施形態では、蓄電池１３の内部インピーダンスを計算する回路をマイコン５５、すなわち、ＲＯＭ６５に記憶されたプログラムに従って動作するプログラムドロジック回路で構成したが、本発明はこの構成に限定されるものではなく、ハードワイヤードロジック回路で構成することも可能である。
【００６９】
【発明の効果】
以上述べたように、請求項１記載の本発明によれば、蓄電池と電力変換部との間に、蓄電池から電力変換部に対して交流電流成分の流入を阻止するための交流電流成分阻止回路が介在しているため、蓄電池に接続された蓄電池内部インピーダンス測定回路から、蓄電池の充電時において蓄電池に交流電流が供給された際に、その供給された交流電流は、交流電流成分阻止回路により電力変換部への流入が阻止される。
【００７０】
この結果、電力変換部のインピーダンスに影響を受けることなく、蓄電池自体の内部インピーダンスを正確に測定することが可能になり、測定した内部インピーダンスを用いて蓄電池の寿命を正確に判定することができる。
【００７１】
請求項２記載の本発明によれば、電力変換部により変換された直流電力（直流電圧）を、第２の整流素子およびリアクトルを介して蓄電池へ供給して蓄電池を充電することができる。また、畜電池から供給された直流電力（直流電圧）を、第１の整流素子を介して電力変換部に供給することができる。
【００７２】
すなわち、請求項２記載の本発明では、電力変換部に基づく蓄電池の充放電機能に何ら影響を与えることなく、蓄電池の充電時における畜電池から電力変換部に対して交流電流成分の流入を阻止することができる。
【００７３】
請求項３記載の本発明によれば、畜電池に供給された交流電流は、リアクトルのインピーダンスが蓄電池の初期内部インピーダンスよりも高いため、リアクトルに流れることなく蓄電池に供給される。
【００７４】
この結果、電力変換部への交流電流の流入を確実に阻止することができる。
【００７５】
請求項４記載の本発明によれば、交流電流供給回路から蓄電池に対して供給された交流電流は、交流成分検出用検出器により検出された交流成分が一定となるように定電流制御手段により制御された状態で、蓄電池に流入される。
【００７６】
このとき、内部インピーダンス計算手段により、交流電流に基づく蓄電池の両端の電圧が検出されて平均化され、平均化された検出電圧および蓄電池に供給されている交流電流に基づいて蓄電池の内部インピーダンスが計算される。
【００７７】
すなわち、請求項４記載の本発明によれば、交流電流成分阻止回路により電力変換部への交流電流が阻止されているため、蓄電池に流入される交流電流に基づく蓄電池の両端の電圧は、電力変換部のインピーダンスに何ら影響を受けることがない。したがって、蓄電池に流入される交流電流に基づく蓄電池の両端の電圧を用いて蓄電池の内部インピーダンスの計算を正確に行うことができる。
【図面の簡単な説明】
【図１】本発明の実施の形態に係る電源装置およびその電源装置に搭載された蓄電池の内部インピーダンス測定装置の概略構成を示すブロック図。
【図２】図１に示す電源装置の具体的な回路構成の一例を示す図。
【図３】図１に示すマイコンのＣＰＵの内部インピーダンス測定処理の一例を示す概略フローチャート。
【符号の説明】
１…電源装置
３…交流電源
５…交流負荷
７…交流スイッチ
９…交流電源電圧検出部
１１…双方向電力変換部
１３…蓄電池
１３ａ…単電池
１５…交流電流成分阻止回路
１７…蓄電池内部インピーダンス測定回路
２１…コンバータ／インバータ変換器
２３…平滑用コンデンサ
３１…第１のダイオード
３３…第２のダイオード
３５…リアクトル
４１…直流成分除去用コンデンサ
４３…電流検出用抵抗
４５…高周波パルス発生回路
５１…電圧検出・平均値回路
５３…電流平均値回路
５５…マイコン
６１…ＣＰＵ
６３…インタフェース回路
６５…ＲＯＭ
６７…ＲＡＭ
【図１】
2004325337.tif 000003
【図２】
2004325337.tif 000004
【図３】
2004325337.tif 000005